【手続補正書】
【提出日】平成16年7月27日(2004.7.27)
【手続補正１】
【補正対象書類名】明細書
【補正対象項目名】全文
【補正方法】変更
【補正の内容】
【書類名】  明細書
【発明の名称】  プレフィルドシリンジ
【特許請求の範囲】
【請求項１】  前端及び後端が開口された筒状容器と、筒状容器の前端部の外周に嵌着されたフロントアセンブリと、筒状容器の後端部の外周に嵌着されたフィンガーグリップと、筒状容器内で注射液の前方に配設された前方封止部材と、筒状容器内で注射液の後方に配設された後方封止部材と、筒状容器内を移動自在に設けられたプランジャロッドと、フィンガーグリップによる係止に基づきプランジャロッドを一時停止させることにより、後方封止部材を筒状容器の所定位置で一時停止させる一時停止手段と、プランジャロッドを移動させることなく、フィンガーグリップによる一時停止手段の係止を解除する係止解除手段とを備えることを特徴とするプレフィルドシリンジ。
【請求項２】  一時停止手段は、プランジャロッドの軸心に対して斜め後方に且つプランジャロッドから半径方向で外方に突出するようにプランジャロッドと一体に弾性的に形成された係止部材から成ると共に、係止部材の基部がフィンガーグリップの後端面に当接することにより、係止部材がフィンガーグリップに係止され、更に、係止解除手段は、係止部材を収納するようにプランジャロッドに形成された凹所を備える請求項１に記載のプレフィルドシリンジ。
【請求項３】  フィンガーグリップの後端面に当接するように、プランジャロッドの軸心と大略垂直に延在する係止部を係止部材の基部の前部に設けた請求項２に記載のプレフィルドシリンジ。
【請求項４】  一時停止手段は、プランジャロッドから半径方向で外方に突出するようにプランジャロッドに進退自在に装着された枠体から成ると共に、枠体の前端面がフィンガーグリップの後端面に当接することにより、枠体がフィンガーグリップに係止され、更に、係止解除手段は、枠体を収納するようにプランジャロッドに形成された空隙を備える請求項１に記載のプレフィルドシリンジ。
【請求項５】  一時停止手段は、プランジャロッドの外周に設けられた突部と、突部によってプランジャロッドの軸方向に係止されるように、プランジャロッドの外周に回転自在に挿通されたリングを備えると共に、リングの前端面がフィンガーグリップの後端面に当接することにより、リングがフィンガーグリップに係止され、更に、係止解除手段は、突部の通過を許容するようにリングの内周に形成された溝を備える請求項１に記載のプレフィルドシリンジ。
【請求項６】  前端及び後端が開口された筒状容器と、筒状容器の前端部の外周に嵌着されたフロントアセンブリと、筒状容器の後端部の外周に嵌着されたフィンガーグリップと、筒状容器内で注射液の前方に配設された前方封止部材と、筒状容器内で注射液の後方に配設された後方封止部材と、筒状容器内を移動自在に設けられたプランジャロッドと、フィンガーグリップによる係止に基づきプランジャロッドを一時停止させることにより、後方封止部材を筒状容器の所定位置で一時停止させる一時停止手段と、プランジャロッドを移動させることなく、フィンガーグリップによる一時停止手段の係止を解除する係止解除手段とを備え、又、一時停止手段は、プランジャロッドの軸心に対して斜め後方に且つプランジャロッドから半径方向で外方に突出するようにプランジャロッドと一体に弾性的に形成された係止部材から成ると共に、係止部材の基部がフィンガーグリップの後端面に当接することにより、係止部材がフィンガーグリップに係止され、更に、係止解除手段は、係止部材を収納するようにプランジャロッドに形成された凹所を備える一方、フィンガーグリップの後端面に当接するように、プランジャロッドの軸心と大略垂直に延在する係止部を係止部材の基部の前部に設けたことを特徴とするプレフィルドシリンジ。
【請求項７】  開口する前端を有する前端部と開口する後端を有する後端部を設けた筒状容器と、筒状容器の前端部の外周に嵌着されたフロントアセンブリと、筒状容器の後端部の外周に嵌着されたフィンガーグリップと、筒状容器の前端部内に配置された前方封止部材と、筒状容器内に配置された後方封止部材と、筒状容器内を軸方向に移動自在であるプランジャロッドとを備えると共に、筒状容器内でのプランジャロッドの軸方向移動に応じて、後方封止部材が筒状容器内を軸方向に移動させられるようにして、液体を投与するための装置において、
プランジャロッドは、フィンガーグリップと協働する停止構造と、停止構造と協働する停止解除構造とを有し、又、プランジャロッドと後方封止部材が筒状容器内を軸方向に前方へ移動させられる時、停止構造とフィンガーグリップの係合によってプランジャロッドが、軸方向に更に前方へ移動しないように一時停止させられることにより、後方封止部材は、筒状容器内の所定位置に一時停止させられ、更に、上記所定位置が、後方封止部材を軸方向に前方へ移動させる時に液体の投与が開始される位置に対応する一方、
停止解除構造と停止構造の協働によって、プランジャロッドの軸方向移動、プランジャロッドに対する停止構造の軸方向前進とプランジャロッドからの停止構造の取外しのいずれを伴うことなく停止構造をフィンガーグリップから係合解除することにより、プランジャロッドの一時停止が解除される結果、プランジャロッドと後方封止部材を、次に、筒状容器内を軸方向に更に前方へ移動させることができることを特徴とする装置。
【発明の詳細な説明】
【０００１】
【発明の属する技術分野】
本発明は、あらかじめ薬剤が充填された使い捨てタイプの注射器、いわゆるプレフィルドシリンジに関し、更に詳しくは、用時にプランジャロッドを前方に押圧する際に、プランジャロッドを所定位置に一時停止させる一時停止手段を備えるプレフィルドシリンジに関する。
【０００２】
【従来の技術】
２成分、例えば、粉末薬剤と薬液が、夫々、筒状容器の前室と後室に収容された２成分型プレフィルドシリンジにおいて、注射液の投与の前に、プランジャロッドを押圧して後室の薬液が前室に完全に流入した状態でプランジャロッドを一時停止させ、その状態で筒状容器を振って粉末薬剤を薬液に十分に溶解又は分散させることにより、注射液が生成される。その後、プランジャロッドを更に押圧することにより、注射液が投与される。
【０００３】
実開平７−７６５０号には、図１７と図１８に示すように、筒状容器５２の後端部外周に嵌着されたフィンガーグリップ５５のフランジ５５ａの内周部に１対の凸部６１を設ける一方、プランジャロッド６０の十字状のリブ６２の間に、各リブ６２を挟んで互いに隣接すると共に軸方向に離隔して１対の第１ストッパ板６５と１対の第２ストッパ板６６を設け、更に、凸部６１と第２ストッパ板６６を当接することにより、プランジャロッド６０を一時停止させるプレフィルドシリンジが開示されている。
しかしながら、このプレフィルドシリンジでは、プランジャロッド６０の前端フランジ６３に形成した凹部６４に凸部６１を挿通して、第１ストッパ板６５が凸部６１に当接した後、プランジャロッド６０を若干後方に引き戻して回動させて、凸部６１を第１ストッパ板６５が設置されていないリブ６２の間に移動させた後、プランジャロッド６０を更に押圧することにより、凸部６１が第２ストッパ板６６に当接する。それから、凸部６１が第２ストッパ板６６の設置されていないリブ６２の間に位置するまで、プランジャロッド６０を回転させることにより、凸部６１と第２ストッパ板６６の当接を解除した後、プランジャロッド６０を更に押圧して注射液が投与される。従って、この公知のプレフィルドシリンジは、構造が複雑であるばかりでなく、操作も煩雑で困難であるという欠点を有する。
【０００４】
又、特開平８−２２９１２２号公報には、図１９に示すように、斜め前方に且つ半径方向で外方に延在する棒状突起７０がプランジャロッド７５に一体に形成されているため、保管中等に衝撃等の外力が印加されても、棒状突起７０の先端がフィンガーグリップ７３に当接することにより、プランジャロッド７５を一時停止させてプランジャロッド７５の不用意な移動を防止する結果、充填されている薬剤を注射針から漏出させないように構成したプレフィルドシリンジが開示されている。
【０００５】
図１９のプレフィルドシリンジでは、プランジャロッド７５を一時停止させた後、プランジャロッド７５の凹溝７６に棒状突起７０を収納して、棒状突起７０の先端面の尖鋭部７０ａを凹溝７６の凹部７６ａに係合させてから、プランジャロッド７５を押圧して注射液が投与される。しかしながら、プランジャロッド７５が一時停止している時、棒状突起７０の先端がフィンガーグリップ７３に当接している。従って、この状態で棒状突起７０を押下げようとすると、棒状突起７０の先端は更に強くフィンガーグリップ７３に押圧されるため、棒状突起７０を凹溝７６に収納することは困難である。その結果、このプレフィルドシリンジでは、棒状突起７０を凹溝７６に収納する際に、プランジャロッド７５を後退させることにより、フィンガーグリップ７３に当接している棒状突起７０をフィンガーグリップ７３から離隔させた後、棒状突起７０を凹溝７６に収納しなければならないから、プランジャロッド７５の後退操作により空気が注射針から筒状容器７１内に引込まれるという問題点がある。
更に、このプレフィルドシリンジでは、斜め前方に且つ半径方向で外方に突出する棒状突起７０の先端をフィンガーグリップ７３の後端面に当接させることからプランジャロッド７５の押圧により、棒状突起７０の先端がフィンガーグリップ７３の後端面上を上方に摺動し易い等の原因によりプランジャロッド７５の一時停止が不安定になるという不具合が生じる。
【０００６】
【発明が解決しようとする課題】
本発明は、従来技術の上記問題点に鑑みて、構造が簡単で操作も容易で、且つ、注射針から筒状容器内に空気を引込む恐れがないと共に確実にプランジャロッドを一時停止させることのできる一時停止手段を備えるプレフィルドシリンジを提供することを目的としている。
【０００７】
【課題を解決するための手段】
上記目的を達成するため、本発明のプレフィルドシリンジは、前端及び後端が開口された筒状容器と、筒状容器の前端部の外周に嵌着されたフロントアセンブリと、筒状容器の後端部の外周に嵌着されたフィンガーグリップと、筒状容器内で注射液の前方に配設された前方封止部材と、筒状容器内で注射液の後方に配設された後方封止部材と、筒状容器内を移動自在に設けられたプランジャロッドと、フィンガーグリップによる係止に基づきプランジャロッドを一時停止させることにより、後方封止部材を筒状容器の所定位置で一時停止させる一時停止手段と、プランジャロッドを移動させることなく、フィンガーグリップによる一時停止手段の係止を解除する係止解除手段とを備える。
【０００８】
一時停止手段は、プランジャロッドの軸心に対して斜め後方に且つプランジャロッドから半径方向で外方に突出するようにプランジャロッドと一体に弾性的に形成された係止部材から成ると共に、係止部材の基部がフィンガーグリップの後端面に当接することにより、係止部材がフィンガーグリップに係止され、更に、係止解除手段は、係止部材を収納するようにプランジャロッドに形成された凹所を備えてもよい。
【０００９】
【発明の実施の形態】
以下に、本発明の各実施形態を図面を参照して説明する。図１（Ａ）、図１（Ｂ）、図２（Ａ）と図２（Ｂ）は、夫々、本発明の第１実施形態にかかる２成分型プレフィルドシリンジの第１操作位置（保管位置）乃至第４操作位置を示す。この２成分型プレフィルドシリンジは、前端及び後端が開口された細長い中空状の筒状容器１と、筒状容器１の前端部に装着された第１封止部材３と、筒状容器１の後端部に装着された第２封止部材４と、筒状容器１内で第１封止部材３と第２封止部材４の間に摺動自在に挿入されて、図１（Ａ）の第１操作位置（保管位置）において筒状容器１の内部空間を第１封止部材３側の第１室６と第２封止部材４側の第２室７に分割する中間封止部材５と、前端の係合部２ａで第２封止部材４に係止された移動自在のプランジャロッド２を備える。粉末薬剤Ｐが第１室６に収容される一方、薬液Ｌが第２室７に収容される。
【００１０】
注射針１０と、注射針１０を保護するように注射針１０を覆う合成樹脂製のキャップ１１を備えるフロントアセンブリ１５が筒状容器１の前端部の外周に嵌着されている。又、合成樹脂製のフィンガーグリップ１２が、筒状容器１の後端部の外周に嵌着されている。
【００１１】
ガラス又は合成樹脂より成る筒状容器１には、第１室６に相当する位置にバイパス１ａが形成されている。バイパス１ａは、筒状容器１の第１室６の周壁の円周方向の一部を半径方向で外方に突出させた膨出部によって形成されている。用時に中間封止部材５の前端を一時停止させる位置を表示する標識線（一時停止線）１ｂが、筒状容器１のバイパス１ａの前方に引かれている。
【００１２】
図３と図４に示すように、合成樹脂製のプランジャロッド２は、円形断面又はリブ８ａとリブ８ｂから成る十字断面のロッド本体２ｂを有すると共に、前端と後端に、夫々、係合部２ａと円形又は多角形のグリップ２ｃを備える。又、軸部２ｄが係合部２ａとロッド本体２ｂの間に設けられている。薬液Ｌが第２室７から漏れるのを防止するために、吸液材１６が軸部２ｄに被着されている。
【００１３】
図４に明示されているように、プランジャロッド２の軸心に対して斜め後方に且つプランジャロッド２から半径方向で外方に突出する係止部材１７がプランジャロッド２と一体に弾性的に形成されている。更に、プランジャロッド２の軸心と大略垂直に延在する係止部１７ａが、係止部材１７の基部の前部に設けられていると共に、係止部材１７の先端面に突部１７ｂが設けられている。後述するように、用時にプランジャロッド２を押圧する際に、係止部材１７の係止部１７ａがフィンガーグリップ１２の後端面１２ａに当接して、プランジャロッド２を一時停止させることにより、中間封止部材５の前端を筒状容器１の標識線１ｂで一時停止させるように構成されている。即ち、図１の２成分型プレフィルドシリンジでは、係止部材１７が、プランジャロッド２を一時停止させる一時停止手段として機能する。
又、係止部材１７を収納する凹所１８が、係止部材１７と対向するようにプランジャロッド２に形成されていると共に、係止部材１７が凹所１８に収納された時に突部１７ｂを受承する凹部１８ａがプランジャロッド２のリブ８ａに形成されている。更に、係止部材１７に弾性を付与するように係止部材１７の基部より前方に延在する切欠き１８ｂが凹所１８に設けられている。
【００１４】
中間封止部材５は、互いに隣接した前方側中間封止部材５ａと後方側中間封止部材５ｂから成る。しかしながら、中間封止部材５を上記したように２個の部品で構成せずに、１個の部品で構成してもよい。第１封止部材３、第２封止部材４と中間封止部材５は合成ゴム等のエラストマーによって形成されている。
【００１５】
以下に、上記構成の２成分型プレフィルドシリンジの操作を図１と図２を参照して説明する。先ず、図１（Ａ）の第１操作位置（保管位置）においては、プランジャロッド２の係合部２ａを第２封止部材４に係止することにより、プランジャロッド２を第２封止部材４に装着する。この時、係止部材１７は、プランジャロッド２の軸心に対して斜め後方に且つプランジャロッド２から半径方向で外方に突出している。更にこの時、粉末薬剤Ｐと薬液Ｌが、夫々、筒状容器１の第１室６と第２室７に収容されていると共に、中間封止部材５の前端は第１室６のバイパス１ａの後方に位置している。
【００１６】
次に、図１（Ｂ）の第２操作位置では、プランジャロッド２を矢印方向に、即ち、前方へ押圧することにより、係止部材１７の係止部１７ａがフィンガーグリップ１２の後端面１２ａに当接して、プランジャロッド２が一時停止させられることにより、中間封止部材５の前端がバイパス１ａを越えて標識線１ｂで一時停止させられる。この時、第１封止部材３はフロントアセンブリ１５内に停止している一方、第２封止部材４は中間封止部材５と当接している。中間封止部材５の前端の第１操作位置から第２操作位置の標識線１ｂまでの移動中に、中間封止部材５がバイパス１ａ内に位置している時、第１室６と第２室７がバイパス１ａを介して連通するので、第２封止部材４によって第２室７内の薬液Ｌがバイパス１ａから第１室６内の粉末薬剤Ｐに注入される。その後、筒状容器１を振って粉末薬剤Ｐを薬液Ｌに十分に溶解又は分散させることにより、注射液Ｉが生成される。
【００１７】
次に、図２（Ａ）の第３操作位置では、プランジャロッド２を第２操作位置に維持したまま、即ち、中間封止部材５の前端が標識線１ｂに位置した状態で、係止部材１７を指で押下げることにより、係止部材１７を弾性変形させて凹所１８に収納する。これにより、係止部材１７とフィンガーグリップ１２の当接が解除されるから、プランジャロッド２を更に前方に押圧することが可能になる。この時、係止部材１７の突部１７ｂが凹所１８の凹部１８ａに受承されるので、係止部材１７は凹所１８に保持される。
【００１８】
それから、キャップ１１を取外して、プランジャロッド２を押して注射針１０をその先端まで注射液Ｉで満たすことにより注射針１０から空気を抜いた後、中間封止部材５が第２封止部材４と共に第１封止部材３に当接するまでプランジャロッド２を押圧することにより、注射液Ｉが投与される結果、図２（Ｂ）の第４操作位置に到達する。
【００１９】
図５（Ａ）、図５（Ｂ）、図６（Ａ）と図６（Ｂ）は、夫々、本発明の第２実施形態にかかる２成分型プレフィルドシリンジの第１操作位置（保管位置）乃至第４操作位置を示す。
この２成分型プレフィルドシリンジでは、プランジャロッド２を一時停止させる一時停止手段が、プランジャロッド２から半径方向で外方に突出するようにプランジャロッド２に進退自在に装着される枠体２０を備える。
【００２０】
図１０に示すように、枠体２０は、前端面２０ａ、縦スロット２０ｃ、横スロット２０ｄと後端面に設けた１対の突起２０ｂを有する。横スロット２０ｄの前方側で１対の脚部２０ｅが縦スロット２０ｃを挟み、又、横スロット２０ｄの後方側で脚部２０ｅよりも長く下方に延在する１対の脚部２０ｆが縦スロット２０ｃを挟む。
【００２１】
図７乃至図９に示すように、プランジャロッド２は、前方側円形リブ２１ａと後方側円形リブ２１ｂの間に、円形リブ２１ａと２１ｂより直径の小さい円形リブ２２を備える。又、空隙２３が、円形リブ２２と後方側円形リブ２１ｂの間に形成されている。枠体２０がプランジャロッド２から半径方向で外方に突出する時と枠体２０がプランジャロッド２内に収納された時に、夫々、枠体２０の突起２０ｂを受承する上方スリット２４ａと下方スリット２４ｂが後方側円形リブ２１ｂに形成されている。枠体２０をプランジャロッド２に装着する時、枠体２０がプランジャロッド２から半径方向で外方に突出するように、枠体２０の突起２０ｂがプランジャロッド２の後方側円形リブ２１ｂの上方スリット２４ａに受承される。更にこの時、リブ８ａが枠体２０の縦スロット２０ｃに挿入されて、脚部２０ｅと２０ｆがリブ８ａを挟持する一方、円形リブ２２が横スロット２０ｄに挿入されて、脚部２０ｅと２０ｆが円形リブ２２を挟持する。
この２成分型プレフィルドシリンジの他の構造は図１の２成分型プレフィルドシリンジと同様であるので、その説明を省略する。
【００２２】
以下に、上記構成の２成分型プレフィルドシリンジの操作を図５と図６を参照して説明する。先ず、図５（Ａ）の第１操作位置（保管位置）では、プランジャロッド２の係合部２ａを第２封止部材４に係止することにより、プランジャロッド２を第２封止部材４に装着する。この時、枠体２０の突起２０ｂはプランジャロッド２の上方スリット２４ａに受承されているので、枠体２０はプランジャロッド２から半径方向で外方に突出している。更にこの時、粉末薬剤Ｐと薬液Ｌが、夫々、筒状容器１の第１室６と第２室７に収容されていると共に、中間封止部材５の前端は第１室６のバイパス１ａの後方に位置している。
【００２３】
次に、図５（Ｂ）の第２操作位置では、プランジャロッド２を矢印方向に、即ち、前方へ押圧することにより、枠体２０の前端面２０ａがフィンガーグリップ１２の後端面１２ａに当接して、プランジャロッド２が一時停止させられる結果、中間封止部材５の前端がバイパス１ａを越えて標識線１ｂで一時停止させられる。その後、図１の２成分型プレフィルドシリンジと同様に、筒状容器１を振って粉末薬剤Ｐを薬液Ｌに十分に溶解又は分散させることにより、注射液Ｉが生成される。
【００２４】
次に、図６（Ａ）の第３操作位置では、プランジャロッド２を第２操作位置に維持したまま、即ち、中間封止部材５の前端が標識線１ｂに位置した状態で、枠体２０を指で押下げてプランジャロッド２内に収納させる。この時、枠体２０の突起２０ｂがプランジャロッド２の下方スリット２４ｂに受承される。これにより、枠体２０とフィンガーグリップ１２の当接が解除されるから、プランジャロッド２を更に前方に押圧することが可能になる。
【００２５】
それから、キャップ１１を取外して、プランジャロッド２を押して注射針１０をその先端まで注射液Ｉで満たすことにより注射針１０から空気を抜いた後、中間封止部材５が第２封止部材４と共に第１封止部材３に当接するまでプランジャロッド２を押圧することにより、注射液Ｉが投与される結果、図６（Ｂ）の第４操作位置に到達する。
【００２６】
図１１（Ａ）、図１１（Ｂ）、図１２（Ａ）と図１２（Ｂ）は、夫々、本発明の第３実施形態にかかる２成分型プレフィルドシリンジの第１操作位置（保管位置）乃至第４操作位置を示す。
この２成分型プレフィルドシリンジでは、プランジャロッド２を一時停止させる一時停止手段が、プランジャロッド２の外周に設けられた１対の突部３１と、突部３１によってプランジャロッド２の軸方向に係止されるように、プランジャロッド２の外周に回転自在に挿通されたリング３０を備える。
【００２７】
図１４と図１５に示すように、プランジャロッド２のリブ８ａの上面と下面の各々に突部３１と、突部３１より小さい凸部３２が互いに軸方向に少し離隔して設けられている。
【００２８】
又、図１３、図１４と図１６に示すように、リング３０は、前端面３０ａを有すると共に、１対の溝３０ｂと１対のくぼみ３０ｃを備える。溝３０ｂは突部３１の通過を許容する寸法に設定されている。一方、くぼみ３０ｃは、凸部３２を受承するが突部３１の通過を許容しない寸法に設定されている。溝３０ｂを結ぶ直線とくぼみ３０ｃを結ぶ直線は互いに直交する。リング３０をプランジャロッド２の外周に挿通する時、凸部３２がくぼみ３０ｃに受承されることにより、リング３０は、凸部３２によってプランジャロッド２の円周方向に係止されると共に、突部３１によってプランジャロッド２の軸方向に係止される。しかしながら、凸部３２とくぼみ３０ｃの間の係合力は小さいので、この位置からリング３０を上記係合力を越える力で９０°回転することにより、くぼみ３０ｃが凸部３２を乗越えて溝３０ｂが突部３１と合致して、プランジャロッド２の軸方向の突部３１によるリング３０の係止が解除されるので、プランジャロッド２を更に前方に押圧することが可能になる。
この２成分型プレフィルドシリンジの他の構造は図１の２成分型プレフィルドシリンジと同様であるので、その説明を省略する。
【００２９】
以下に、上記構成の２成分型プレフィルドシリンジの操作を図１１と図１２を参照して説明する。先ず、図１１（Ａ）の第１操作位置（保管位置）では、プランジャロッド２の係合部２ａを第２封止部材４に係止することにより、プランジャロッド２を第２封止部材４に装着する。この時、プランジャロッド２の凸部３２はリング３０のくぼみ３０ｃに受承されているので、リング３０は、凸部３２によってプランジャロッド２の円周方向に係止されると共に、突部３１によってプランジャロッド２の軸方向に係止される。更にこの時、粉末薬剤Ｐと薬液Ｌが、夫々、筒状容器１の第１室６と第２室７に収容されていると共に、中間封止部材５の前端は第１室６のバイパス１ａの後方に位置している。
【００３０】
次に、図１１（Ｂ）の第２操作位置では、プランジャロッド２を矢印方向に、即ち、前方へ押圧することにより、リング３０の前端面３０ａがフィンガーグリップ１２の後端面１２ａに当接して、プランジャロッド２が一時停止させられる結果、中間封止部材５の前端がバイパス１ａを越えて標識線１ｂで一時停止させられる。その後、図１の２成分型プレフィルドシリンジと同様に、筒状容器１を振って粉末薬剤Ｐを薬液Ｌに十分に溶解又は分散させることにより、注射液Ｉが生成される。
【００３１】
次に、図１２（Ａ）の第３操作位置では、プランジャロッド２を第２操作位置に維持したまま、即ち、中間封止部材５の前端が標識線１ｂに位置した状態で、リング３０を９０°回転することにより、溝３０ｂが突部３１と合致して、プランジャロッド２の軸方向の突部３１によるリング３０の係止が解除されるので、プランジャロッド２を更に前方に押圧することが可能になる。
【００３２】
それから、キャップ１１を取外して、プランジャロッド２を押して注射針１０をその先端まで注射液Ｉで満たすことにより注射針１０から空気を抜いた後、中間封止部材５が第２封止部材４と共に第１封止部材３に当接するまでプランジャロッド２を押圧することにより、注射液Ｉが投与される結果、図１２（Ｂ）の第４操作位置に到達する。
【００３３】
本発明の上記の各実施形態は２成分型プレフィルドシリンジに適用されている。しかしながら、本発明は、２成分型プレフィルドシリンジに限定されるものではなく、１成分型プレフィルドシリンジ、３成分型プレフィルドシリンジ等にも適用し得る。
【００３４】
【発明の効果】
本発明のプレフィルドシリンジでは、プランジャロッド２の軸心に対して斜め後方に且つプランジャロッド２から半径方向で外方に突出するようにプランジャロッド２と一体に弾性的に形成された係止部材１７が、プランジャロッド２を一時停止させる一時停止手段として機能する。即ち、用時にプランジャロッド２を前方に押圧する際に、係止部材１７の基部の前部に設けた係止部１７ａがフィンガーグリップ１２の後端面１２ａに当接して、プランジャロッド２が一時停止させられることにより、中間封止部材５の前端が標識線１ｂで一時停止させられる。その状態で、係止部材１７を指で押下げて、係止部材１７を凹所１８に収納することにより、係止部材１７とフィンガーグリップ１２の当接を解除した後、プランジャロッド２を更に前方に押圧して注射液Ｉが投与される。
従って、本発明のプレフィルドシリンジでは、係止部材１７から成る一時停止手段は、構造が簡単で操作も容易であると共に、確実にプランジャロッド２を一時停止させることができる。
更に、本発明のプレフィルドシリンジでは、係止部材１７を凹所１８に収納する時にプランジャロッド２を後退させる必要がないので、空気が注射針１０から筒状容器１内に引込まれる恐れがない。
【図面の簡単な説明】
【図１】  （Ａ）と（Ｂ）は、夫々、本発明の第１実施形態にかかる２成分型プレフィルドシリンジの第１操作位置（保管位置）と第２操作位置を示す概略断面図である。
【図２】  （Ａ）と（Ｂ）は、夫々、図１の２成分型プレフィルドシリンジの第３操作位置と第４操作位置を示す概略断面図である。
【図３】  本発明の図１の２成分型プレフィルドシリンジのプランジャロッドの斜視図である。
【図４】  図３のプランジャロッドの正面図である。
【図５】  （Ａ）と（Ｂ）は、夫々、本発明の第２実施形態にかかる２成分型プレフィルドシリンジの第１操作位置（保管位置）と第２操作位置を示す概略断面図である。
【図６】  （Ａ）と（Ｂ）は、夫々、図５の２成分型プレフィルドシリンジの第３操作位置と第４操作位置を示す概略断面図である。
【図７】  図５の２成分型プレフィルドシリンジのプランジャロッドの斜視図である。
【図８】  図７のプランジャロッドの正面図である。
【図９】  図８のプランジャロッドの部分平面図である。
【図１０】  （Ａ）、（Ｂ）と（Ｃ）は、夫々、図５の２成分型プレフィルドシリンジの枠体の拡大正面図、拡大左側面図と拡大底面図である。
【図１１】  （Ａ）と（Ｂ）は、夫々、本発明の第３実施形態にかかる２成分型プレフィルドシリンジの第１操作位置（保管位置）と第２操作位置を示す概略断面図である。
【図１２】  （Ａ）と（Ｂ）は、夫々、図１１の２成分型プレフィルドシリンジの第３操作位置と第４操作位置を示す概略断面図である。
【図１３】  図１１の２成分型プレフィルドシリンジのプランジャロッドの斜視図である。
【図１４】  図１３のプランジャロッドの正面図である。
【図１５】  図１４のプランジャロッドの部分平面図である。
【図１６】  図１１の２成分型プレフィルドシリンジのリングの正面図である。
【図１７】  従来のプレフィルドシリンジの部分斜視図である。
【図１８】  図１７のプレフィルドシリンジの部分断面側面図である。
【図１９】  別の従来のプレフィルドシリンジの部分断面正面図である。
【符号の説明】
１  筒状容器
２  プランジャロッド
３  第１封止部材
４  第２封止部材
５  中間封止部材
６  第１室
７  第２室
１０  注射針
１１  キャップ
１２  フィンガーグリップ
１５  フロントアセンブリ
１７  係止部材
２０  枠体
３０  リング
３１  突部
【手続補正２】
【補正対象書類名】図面
【補正対象項目名】図６
【補正方法】変更
【補正の内容】
【図６】
1999076405.tif 000001